(57)【特許請求の範囲】
【請求項１】
半透明性の耐油紙製とした基材層(2)と、所定のパターンに印刷形成したパターン印刷層(4)と、被加飾体に接着する接着層(5)を順次積層し、
パターン印刷層(4)を光の透過を抑制する遮光層(4a)とし、
該遮光層(4a)の有無、及び該遮光層(4a)の層厚若しくは印刷濃度により光の透過の程度が異なるように構成し、
該遮光層(4a)を和紙の地合い状のパターンに印刷形成したラベル。
【請求項２】
基材層(2)の上面に、絵柄を印刷形成した絵柄印刷層(3)を積層した請求項１記載のラベル。
【請求項３】
接着層(5)をヒートシール層(5a)とし、インモールドラベルとした請求項１または２記載のラベル。
【請求項４】
請求項３記載のインモ−ルドラベルを、インモ−ルド成形により溶着貼付したインモ−ルドラベル付きの合成樹脂製容器。
【発明の詳細な説明】
【技術分野】
【０００１】
本発明は、容器等の製品に貼付して使用するラベル、およびインモ−ルドラベル付き合成樹脂製容器に関する。
【背景技術】
【０００２】
容器等の製品の加飾は商品力の大きな部分を占めるものであり、塗装、印刷等により購入者が高級な、あるいは独特な感触を感じるよう、加飾性を発揮させて、商品イメージが大きく向上するようにしている。
【０００３】
従来より、合成樹脂製の成形品の表面加飾技術の一つとし、ラベルを予め金型内に設置し、成形と同時に成形品表面にラベルの張り付けを行う、ラベルに係るインモールド成形法が知られており、成形品の表面を、例えば、文字、図形、記号、絵柄等により容易に、しかも、表面の段差をなくしてラベルを容器本体と一体化することができ、高度に加飾性を付与することができる。（たとえば特許文献１参照）
【特許文献１】特開２００５−１８９６２８号公報
【発明の開示】
【発明が解決しようとする課題】
【０００４】
本発明は、特有の視覚効果を現出させて、従来にない質感、風合いを想起させるためのラベルの層構成を見出すことを課題とし、このラベルを容器等に貼付し購入者に特有なイメージを付与して商品を提供すること目的とする。
【課題を解決するための手段】
【０００５】
上記技術的課題を解決する本発明の内、第１の発明の手段は、透明、あるいは半透明の基材層と、所定のパターンに印刷形成したパターン印刷層と、被加飾体に接着する接着層を順次積層したラベル、にある。
【０００６】
第１の発明の上記構成において、パターン印刷層のパターンは、印刷層を形成する部分と、形成しない部分を所定のパターンに配置することにより形成することができる。また、印刷層の厚さや、印刷濃度を変化させてパターンを形成することもできる。
【０００７】
そして、第１の発明の上記構成により、基材層を透明、あるいは半透明とすることで、基材層を透かしてパターン印刷層のパターンが浮き上がって見えると共に、印刷層の無い部分、印刷層の層厚あるいは濃度の薄い部分ではラベルを接着層を介して貼付した被加飾体の表面の色が重なって見え、立体的で特有な視覚効果が発揮される。
【０００８】
第２の発明の手段は、第１の発明において、パターン印刷層を光の透過を抑制する遮光層とすること、にある。
【０００９】
第２の発明の上記構成により、遮光層により形成されたパターンに沿って光の透過の程度が異なり、立体的な視覚効果がより発揮される。
【００１０】
第３の発明の手段は、第１または２発明において、遮光層を和紙の地合い状のパターンに印刷形成すること、にある。
【００１１】
第３の発明の上記構成により、遮光層を和紙の地合い状のパターンに印刷形成することにより、基材層を通して、ラベルの表面に多くの繊維を積層して形成される和紙独特の地合い状の模様を現出させることができ、商品に和風様の感触を想起させることができる。
また、地合いを大きく崩してちょうど和紙が部分的に透けて見えるような視覚効果を現出させることもできる。
【００１２】
第４の発明の手段は、第１、２または３の発明において、基材層の上面に、絵柄を印刷形成した絵柄印刷層を積層すること、にある。
【００１３】
第４の発明の上記構成において、絵柄とは、文字、図案、絵柄、模様、あるいはこれらを組み合わせたものを総称する。この第４の発明の上記構成により、絵柄を印刷形成した絵柄印刷層により、これら絵柄にパターン印刷層による視覚効果が相俟って、今までにない、加飾効果が発揮される。
たとえば絵柄印刷層の層厚、あるいは濃度を薄くすれば、この印刷層でも光が透過するので、パターンが文字、図案、絵柄、模様等に重なって見えるので、これら文字、図案、絵柄、模様等を様々な質感で見せることができる。
【００１４】
第５の発明の手段は、第１、２、３または４の発明において、基材層を半透明性の耐油紙製とすることにある。
【００１５】
第５の発明の上記構成により、基材層を半透明性の耐油紙製とすることにより、紙を構成する繊維によって光が散乱しながら透過するので、基材層自体の質感と共に、パターン印刷層のパターンを少しぼやけたような形で現出させることができ、柔らかな風合いを想起させることができる。
【００１６】
第６の発明の手段は、第１、２、３、４または５の発明において、接着層をヒートシール層とし、インモールドラベルとすること、にある。
【００１７】
第６の発明の上記構成により、接着層としては接着剤から成る接着剤層、あるいはヒートシール材料からなるヒートシール層等を使用することができるが、接着層をヒートシール層とし、ラベルをインモールドラベルとすることにより、ラベルを合成樹脂製の被加飾体の成形と同時に、この被加飾体の表面に段差無く一体的に貼付することができ、より優れた加飾性を発揮させることができる。
【００１８】
第７の発明の手段は、第６の発明のインモ−ルドラベルを、インモ−ルド成形により熱溶着貼付したインモ−ルドラベル付きの合成樹脂製容器、にある。
【００１９】
第７の発明の上記構成により、パターン印刷層により従来にない視覚効果が発揮される合成樹脂製容器を提供することができる。
【発明の効果】
【００２０】
本発明は上記した構成であり、以下に示す効果を奏する。
第１の発明にあっては、基材層を透かしてパターン印刷層のパターンが浮き上がって見えると共に、パターン印刷層の印刷層の無い部分、印刷層の層厚あるいは濃度の薄い部分ではラベルを接着層を介して貼付した被加飾体の表面の色が重なって見え、立体的で特有な視覚効果が発揮される。
【００２１】
第２の発明にあっては、遮光層により形成されたパターンに沿って光の透過の程度が異なり、立体的な視覚効果がより発揮される。
【００２２】
第３の発明にあっては、遮光層により和紙独特の地合い状のパターンを現出させることができ、商品に和風的なイメージを付与することができる。
【００２３】
第４の発明にあっては、絵柄印刷層により、絵柄にパターン印刷層による視覚効果が相俟って、今までにない、加飾効果が発揮される。
【００２４】
第５の発明にあっては、基材層を半透明性の耐油紙製とすることにより、基材層自体の質感と共に、パターン印刷層のパターンを少しぼやけたような形で現出させることができ、柔らかな風合いを想起させることができる。
【００２５】
第６の発明にあっては、インモールド成形で被加飾体の成形と同時に、ラベルを被加飾体の表面に段差無く一体的に貼付することができ、より優れた加飾性を発揮させることができる。
【００２６】
第７の発明にあっては、パターン印刷層により従来にない視覚効果が発揮される合成樹脂製容器を提供することができる。
【発明を実施するための最良の形態】
【００２７】
本発明の実施形態を、図面を参照しながら説明する。
図１および図２は本発明のラベルの一実施例を示すものである。このラベル１はインモールドラベル用のラベルであり、図１は縦断面図で、被加飾体である容器本体９の表面に貼付した状態を示しており、基材層２の上面に表面印刷層３、裏面にパターン印刷層４である遮光層４ａ、そして接着層５であるヒートシール層５ａを積層したものである。
【００２８】
図２（ａ）は、半透明な耐油紙製の基材層２に、スクリーン印刷で図案化した文字を印刷して形成された絵柄印刷層３を積層した状態を示す。
また、図２（ｂ）は遮光層４ａの印刷パターンを示し、黒色系統の印刷インクを用いて和紙の地合い状の模様に印刷したものである。黒い部分は印刷層が形成されている部分、白い部分は形成されていない部分であり、この白と黒の部分の組み合わせで多数の繊維の積層による和紙の地合い状の模様を現出するようにしている。
また、図２（ｃ）はラベル１を表面側から見た状態を示すものであり、半透明な基材層２を通して遮光層４ａの和紙の地合い状の模様が透けて見え、絵柄印刷層３の図案状の文字と重なって、立体的な奥行きを感じさせながら、和風調の視覚効果が発揮される。
【００２９】
図３は本発明の合成樹脂製容器の一実施例を示す斜視図である。容器本体９はポリプロピレン樹脂製の射出成形によるカップ状容器であり、後述するインモールドの射出成形方法により、胴部に図２（ｃ）に示したラベル１を貼付したものである。
ここで、前述したように図２（ｂ）中の白い部分は遮光層４ａにおいて印刷層の形成されていない部分であり、透明なヒートシール層５、この白い部分、そして基材層２とを通して、容器本体９の色をラベル１の表面に現出させることができる。
【００３０】
図５はインモ−ルド射出成形の一例を示す概略的説明図である。インモールドでのラベル１の容器本体９への貼付（接着）は、容器本体９の射出成形工程において、射出成形金型１１のキャビティー型１３に、円筒状にしたラベル１を真空吸引孔１６を介して吸引するようにして設置し、次にコア型１２をキャビティー型１３内に侵入させ、溶融した合成樹脂をゲート１５からキャビティー１４内に射出して成形することにより実施する。
【００３１】
なお、上記実施例では容器本体９にはポリプロピレン樹脂を用い、ヒートシール層５にはエチレン・プロピレン共重合体系樹脂を用いた。
勿論、容器本体９にはポリプロピレン樹脂の他にも、たとえばポリエチレン系樹脂製、ポリスチレン系樹脂製、ポリスチレン系樹脂製、ＰＥＴ系樹脂製等の従来より用いられている様々な種類の合成樹脂を使用することができる。
また、ヒートシール層５についても上記の他にもたとえば、ポリエチレン系樹脂、エチレン・プロピレン共重合体系樹脂、エチレン−酢酸ビニル共重合体系樹脂、塩素化ポリプロピレン樹脂、ポリエステル系樹脂、ブチラール系樹脂等の材料を適宜使用することができるが、容器本体９の色を表面に現出させるためには透明に近い材料を選ぶ必要がある。
【００３２】
以上、本発明の構成、およびその作用効果を実施例に沿って説明したが、本発明は上記実施例に限定されるものではない。
たとえば、基材層としては耐油紙のほかにも、使用目的に応じて半透明の合成紙、透明あるいは半透明の合成樹脂製フィルム等を使用することができる。また本実施例では絵柄印刷層３に図案化した文字を採用したが、その他記号や、絵柄、模様、あるいはこれらの組み合わせたものとすることができる。また絵柄印刷層３の上にクリアコート層を積層することもできる。またこの絵柄印刷層３を形成しないでパターン印刷層４による立体的な視覚効果だけで加飾することもできる。
【００３３】
パターン印刷層４は黒色系統や、灰色系統や、褐色系統のインクを用いた遮光層４ａに限定されることはなく、様々な色彩にすることもできる。また、印刷方法によりグラデーション状に色彩を変化させたり、濃淡をつけたりすることにより、様々な態様の視覚効果を発揮させることができる。また形成するパターンもさまざまなパターンとすることができる。たとえば図４は遮光層４ａ（パターン印刷層４）の印刷パターンの他の例である。また印刷パターンとして文字や記号等を選択することもできる。
【００３４】
また、本発明のラベルはインモールドラベルに限定されるものではなく、非加飾体は合成樹脂製容器に限定されるものではない。合成樹脂製、金属製、ガラス製等、様々な態様の製品に、通常のラベルとして貼付することもできる。
また、インモールド成形は射出成形に限定されるものではなく、ブロー成形、２軸延伸ブロー成形、熱成形等でも、本発明のラベルを使用することができる。
【産業上の利用可能性】
【００３５】
以上説明したように本発明のラベルは、従来似ない立体的な視覚効果が発揮されるものであり、インモールド成形による合成樹脂製容器等、さまざまな製品への展開が期待される。
【図面の簡単な説明】
【００３６】
【図１】本発明のラベルの一実施例の層構成を示す概略的断面図である。
【図２】（ａ）は基材層に絵柄印刷層を積層した状態、（ｂ）は遮光層の印刷パターン、（ｃ）はラベルを表面側から見た状態を示す説明図である。
【図３】本発明の合成樹脂製容器の一実施例の斜視図である。
【図４】遮光層の印刷パターンの他の例を示す。
【図５】インモ−ルド射出成形の一例を示す概略的説明図である。
【符号の説明】
【００３７】
１  ；（インモールド）ラベル
２  ；基材層
３  ；絵柄印刷層
４  ；パターン印刷層
４ａ；遮光層
５  ；接着層
５ａ；ヒートシール層
９  ；容器本体
１１；射出成形金型
１２；コア型
１３；キャビティー型
１４；キャビティー
１５；ゲ−ト
１６；真空吸引孔
【図１】
0004753177.tif 000002
【図２】
0004753177.tif 000003
【図３】
0004753177.tif 000004
【図４】
0004753177.tif 000005
【図５】
0004753177.tif 000006